(57)【要約】【課題】放射性物質の吸着剤を側溝に水の流れを阻害することなく、また容易に交換できるように取付けるための取付構造を提供する。【解決手段】放射性物質の吸着剤は、透水性の袋８に入れられ、トレイ３に袋を重ねて敷き詰める。トレイ３は排水用の無数の小孔６を備え、両側の鍔部３ａを側溝２の側壁上部の段２ａに掛けて装着され、その上に乗せたグレーチング１により固定される。放射性物質を含む水は袋内に浸入し、放射性物質が吸着剤により吸着される。袋より出た水はトレイ３よりトレイ下の水路に排出される。【選択図】図２
2017026498.tif 000002
【特許請求の範囲】
【請求項１】
繊維状又は粒状をなす放射性物質の吸着剤を側溝に取付けるための取付構造であって、前記側溝は両側壁の内側上縁に段を有し、該段上に両側に鍔部を備えたトレイの鍔部が掛けられることにより前記トレイが側溝上部に装着されて側溝底面上に水路を確保すると共に、前記段に掛けられるトレイの鍔部上には溝蓋が掛けて装着され、前記吸着剤が入れられる多孔質又はネット状の袋が前記トレイ内に敷き詰められることを特徴とする放射性物質の吸着剤を側溝へ取付けるための取付構造。
【請求項２】
繊維状又は粒状をなす放射性物質の吸着剤を側溝に取付けるための取付構造であって、前記吸着剤が入れられて側溝底面上に敷き詰められる多孔質又はネット状の袋と、これら敷き詰められた袋上に被せられる多孔質又はネット状のカバーよりなることを特徴とする放射性物質の吸着剤を側溝へ取付けるための取付構造。
【請求項３】
前記カバーが両側に前記袋を側面より押える側壁部を有し、該側壁部はカバーを前記袋上に被せた状態で側壁部下面と側溝底面との間に排水用の隙間を存していることを特徴とする請求項２記載の放射性物質の吸着剤を側溝へ取付けるための取付構造。
【請求項４】
前記カバーは側溝の中央部に向かって下向きに凹む縦断面が谷状をなすことを特徴とする請求項２又は３記載の放射性物質の吸着剤を側溝へ取付けるための取付構造。
【発明の詳細な説明】
【技術分野】
【０００１】
本発明は、雨水や洗浄水等に含まれるセシウム等の放射性物質の吸着剤を側溝へ取付けるための取付構造に関する。
【背景技術】
【０００２】
２０１１年３月１１日の東北地方太平洋沖地震に伴い発生した福島第一原子力発電所の原発事故によりセシウム等の放射性物質が周囲に放出、拡散され、その回収除去処理対策が急務となっている。
【０００３】
特許文献１には、側溝に流入する雨水や洗浄水に含まれる放射性物質を吸着し回収するために側溝内に繊維状又は粒状の放射性セシウム吸着剤を入れた箱状の容器を設置することが提案されている。この容器は上面の開閉蓋を除く前後左右の側面と底面にネットが張られ、上面のフレームが側溝の側壁に取付金具にて固定されるようにしてある。
【先行技術文献】
【特許文献】
【０００４】
【特許文献１】特開２０１４−９８６４０号
【発明の概要】
【発明が解決しようとする課題】
【０００５】
特許文献１に開示されるものでは、繊維状又は粒状の吸着剤は側溝内を流れる水によって流出するのを防止するため箱状の容器に入れられているが、吸着剤を交換するときには、取付金具を外してから開閉蓋を開ける必要があり、また吸着剤は剥き出しのまま直接入れられているため、容器から取り出したり、容器に入れるのに手間がかかる難点がある。そのうえ側溝内に設置される容器は側溝を流れる水の流れを阻害しがちである。
【０００６】
本発明は、放射性物質の吸着剤を側溝内の水の流れを阻害することなく、また容易に交換できるように取付けるための取付構造を提供することを目的とする。
【課題を解決するための手段】
【０００７】
請求項１に係る発明は、繊維状又は粒状をなす放射性物質の吸着剤を側溝に取付けるための取付構造であって、前記側溝は両側壁の内側上縁に段を有し、該段上に両側に鍔部を備えたトレイの鍔部が掛けられることにより前記トレイが側溝上部に装着されて側溝底面上に水路を確保すると共に、前記段に掛けられるトレイの鍔部上には溝蓋が掛けて装着され、前記吸着剤が入れられる多孔質又はネット状の袋が前記トレイ内に敷き詰められることを特徴とする。
【０００８】
請求項２に係る発明は、繊維状又は粒状をなす放射性物質の吸着剤を側溝に取付けるための取付構造であって、前記吸着剤が入れられて側溝底面上に敷き詰められる多孔質又はネット状の袋と、これら敷き詰められた袋上に被せられる多孔質又はネット状のカバーよりなることを特徴とする。
【０００９】
請求項３に係る発明は、請求項２に係る発明におけるカバーが両側に前記袋を側面より押える側壁部を有し、該側壁部はカバーを前記袋上に被せた状態で側壁部下面と側溝底面との間に排水用の隙間を存していることを特徴とする。
請求項４に係る発明は、請求項２又は３に係る発明において、カバーは側溝の中央部に向かって下向きに凹む縦断面が谷状をなすことを特徴とする。
【発明の効果】
【００１０】
請求項１に係る発明によると、吸着剤が入れられる袋はトレイ上に敷き詰められ、吸着剤を交換するときは溝蓋を取外してトレイ内の袋を袋ごと取り換えればよく、吸着剤を直に交換するのと比べ取扱が容易で、交換時の着脱が容易であり、しかも吸着剤は袋に入れられているため、バラけることがなく、吸着剤の流出をもたらすこともない。またトレイ上に敷き詰められる袋間を通り、トレイより流れ落ちる水はトレイ下の水路に流出し、トレイ内の袋が水路を流れる水の流れを阻害することはない。
【００１１】
請求項２に係る発明によると、吸着剤が入れられる袋は側溝底面上に敷き詰められ、その上からカバーが被せられているもので、吸着剤を交換するときには、カバーを取り外して袋を交換することにより行われるが、吸着剤は請求項１に掛かる発明と同様、袋に入れられているため、ばらけることがなく、吸着剤を交換する際には、カバーを外して袋ごと取り換えればよく、吸着剤を直に交換するのと比べ取扱が容易で、交換時の着脱が容易であり、吸着剤の流出をもたらすことがない。また吸着剤を入れた袋には、その上にカバーが被せられ、その上を水が流れることになるが、カバーで覆われた袋が側溝を流れる水の流れを阻害することがない。
【００１２】
請求項３に係る発明によると、カバーを通った水は袋間を潜り抜け排水されるが、カバー両端の底面との間の隙間からも流出するため、袋間に滞ることがない。
【００１３】
請求項４に係る発明によると、側溝の両側より側溝内に流入した水は水流が少なくても谷底のカバー中央部まで流れ込み易くなり、中央部の袋まで行き渡って放射性物質の吸着が側溝の幅方向全域に亘って万遍なく行えるようになる。
【００１４】
なお、請求項１及び２に係る発明は、吸着剤は袋に入れられることにより交換時の着脱が容易で流出しにくく、水の流れの障害となりにくい、という共通する特別な技術的特徴を有しており、発明の単一性を有するものである。
【図面の簡単な説明】
【００１５】
【図１】吸着剤入り袋が装着されるトレイが取付けられる側溝の平面図。
【図２】図１のＡ―Ａ線断面図。
【図３】トレイの斜視図。
【図４】吸着剤入り袋の斜視図。
【図５】別の態様の取付構造の平面図。
【図６】図５のＢ―Ｂ線断面図。
【図７】更に別の態様の取付構造の平面図。
【発明を実施するための形態】
【００１６】
以下、本発明の実施状態について図面により説明する。
図１は、溝蓋としてのグレーチング１を装着したコンクリート製側溝２の平面を示すものであり、図２は図１のＡ−Ａ線での断面を示すもので、図１においてグレーチング１は半分程度が省略され、省略された部分に側溝上部に装着されるトレイ３が示してある。
【００１７】
トレイ３は図３に示すように、四囲に側壁３ａ、３ｂを備えた矩形の平鍋状の形態をなして左右両側の側壁３ａにはそれぞれ外側方に突出する鍔部３ｃを有し、また上流側である入側と下流側である出側の長手方向と直交する前後の両側壁３ｂにはトレイ内に流れ込んだ水を排出する横長の排水口４を有している。そして前後方向の両側に左右の鍔部３ｃ間を連結し、トレイ３を持ち運びする際に掴む取手５を設け、トレイ３の底面には排水用の無数の小孔６を有している。
【００１８】
前記トレイ３は取手５を掴んで両側の鍔部３ｃを側溝２の側壁上部の段２ａに掛けることにより側溝２に装着され、段２ａに掛けられる鍔部３ｃ上には更にグレーチング１が掛けられ、鍔部上にグレーチング１が載置されることによりトレイ３が側溝２に固定されるようになっている。
【００１９】
トレイ３には、トレイ内に繊維状又はゼオライトなどの粒状をなす放射性物質の吸着剤、例えば日本建設技術株式会社製の造粒ゼオライト化ミラクルソルが入れられる袋が重ねて敷き詰められる。なお、図１及び図２は、袋８が敷き詰められる前の状態を示している。
図４は吸着剤入りの袋８を示すもので、該袋８は水透過性の布或いは目の細かなネット状又は小径の無数の小孔を備えた樹脂製で、水が通り抜けできるようになっており、袋内の吸着剤が水に含まれる放射性物質を吸着するようにしてある。
【００２０】
トレイ３は前後に設けた側壁３ｂにより詰め込まれた袋８がトレイ３より流出するのが妨げられるが、トレイ３を側溝２の長手方向に一定区間隙間なく続けて並べた状態では、区間両端のトレイ３或いは下流側のトレイ３の出側にのみ側壁３ｂを設けて袋８が流出しないようにしておけば、区間内のトレイ３には側壁３ｂを設けておかなくてもよい。
また前記排水口４は、図示する例ではトレイ３の入側と出側の前後の側壁３ｂに設けられているが、出側の側壁３ｂにのみ設けてもよい。
【００２１】
本実施形態の吸着剤の取付構造によれば、吸着剤は繊維状又は粒状をなしていても袋８に入れられているため、ばらけることがなく、吸着剤を交換する際には、グレーチング１を取り外して袋ごと取り換えればよく、吸着剤を直に交換するのと比べ取扱が容易で、交換も容易となる。また吸着剤は袋８に入れられ、トレイ３に敷き詰められるため吸着剤の流出はもとより、袋８の流出も生じることがなく、トレイ下の水路を流れる水流の障害となることもない。また袋間に入り込んだ水や袋８を通り抜けた水はトレイ３の小孔６よりトレイ下の水路に流出し、トレイ内に留まり溜まることはない。
【００２２】
図５及び図６は別の態様を示すもので、図５は、グレーチング１を装着したコンクリート製側溝２の平面図、図６は図５のＢ−Ｂ線での断面図を示している。側溝内には前記袋８が側溝２の長手方向に沿って側溝底面上に重ねて敷き詰められ、その上からカバー１１が被せられている。カバー１１は樹脂又は金属製で、図５に示すように全面に無数の小孔１２を備えており、両側には前記積み重ねた袋８を側方より押える側壁１１ａが側溝長手方向に沿って形成され、側壁底面上への袋８の積み重ね高さは側壁１１ａより高くしてあるため、側壁１１ａの下端と側溝底面との間に隙間１３を存し、この隙間を通して排水が行えるようにしてある。側溝底面に敷き詰められる袋８にはカバー１１が被せられるため、吸着剤の流出はもとより、袋８の流出も生じ難く、水流の障害ともなり難いうえ、袋間に入り込んだ水は両側の前記隙間１３からも排出され、袋間に滞ることはない。
【００２３】
図７は更に別の態様を示すもので、カバー１５が側溝２の中央部に向かって下向きに凹む谷状の断面形状をなしている。
【００２４】
本実施形態によると、側溝２の両側より側溝内に流入した水は、水量が少なくてもカバー中央部まで流れ込み易くなり、側溝幅方向の全域まで行き渡って放射性物質の吸着が側溝２の幅方向全域で行えるようになる。
【００２５】
本実施形態のカバー１５は、両端が側溝２の側壁に寄り掛かるようにしてあり、両端に前記実施形態のカバー１１で示す側壁１１ａを有していないが、カバー１５の両側にカバー１１と同様の側壁を設けてもよい。側壁を設ける場合、好ましくは丈が長く形成され、側溝底面とは好ましくは前記実施形態で示すような隙間１３を存した状態で袋８を側面より押えることができるようにされる。
【００２６】
前記実施形態においてはいずれも、側溝２に流入した雨水に混じる土砂が袋上に堆積し、この堆積した土砂は放射性物質の濃度が高いことが予想されるが、袋取換え時に高濃度の土砂ともども廃棄することが可能になる。
【符号の説明】
【００２７】
１・・グレーチング
２・・コンクリート製側溝
３・・トレイ
４・・排水口
５・・取手
６、１２・・小孔
８・・放射性物質の吸着剤が入れられる袋
１１、１５・・カバー
【図１】
2017026498.tif 000003
【図２】
2017026498.tif 000004
【図３】
2017026498.tif 000005
【図４】
2017026498.tif 000006
【図５】
2017026498.tif 000007
【図６】
2017026498.tif 000008
【図７】
2017026498.tif 000009